【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
一端に高圧ガス供給源への接続口を有し他端にガス機器へのガス供給口を有するケースと、該ケースに固定されその長手方向に延在するノズルと、該ノズルに内方気密シールを介して摺動可能に取り付けられる内方遊嵌体と、該内方遊嵌体と前記ケースの間にあって前記ケース内を外方気密シールと共に摺動する外方遊嵌体と、該外方遊嵌体を前記ケースのガス供給口側に付勢する調圧バネと、を備える安全装置付き減圧弁において、
前記ノズルは高圧ガス供給源に接続されるとともに先端部にガス噴出口が設けられており、
前記内方遊嵌体は前記ガス噴出口に正対するノズルストッパーが設けられており、
前記外方遊嵌体は調圧バネの付勢方向に前記内方遊嵌体を押す支承部が設けられており、かつ、
前記ケースは前記外方遊嵌体の摺動範囲内にケース外部と通じるガス排出部が設けられている
ことを特徴とする安全装置付き減圧弁。
【請求項２】
一端に高圧ガス供給源への接続口を有し他端にガス機器へのガス供給口を有するケースと、該ケースに固定されその長手方向に延在するノズルと、該ノズルに内方気密シールを介して摺動可能に取り付けられる内方遊嵌体と、該内方遊嵌体と前記ケースの間にあって前記ケース内を外方気密シールと共に摺動する外方遊嵌体と、該外方遊嵌体を前記ケースのガス供給口側に付勢する調圧バネと、を備える安全装置付き減圧弁において、
前記ノズルは高圧ガス供給源に接続されるとともに先端部にガス噴出口が設けられており、
前記内方遊嵌体は前記ガス噴出口に正対するノズルストッパーが設けられており、
前記外方遊嵌体は調圧バネの付勢方向に前記内方遊嵌体を押す支承部が設けられており、かつ、
前記外方気密シールが接する内方遊嵌体の側壁のうち該外方気密シールの可動範囲内に大気圧室に通ずるガス通路を設けるとともに、前記ケースに前記大気圧室とケース外部とを通じるガス通路を設けてなることを特徴とする安全装置付き減圧弁。
【請求項３】
前記ケースを外筒とキャップがネジ結合されたものとして構成するとともに、前記大気圧室とケース外部とを通じるガス通路を前記ネジ結合部に設けてなることを特徴とする請求項２記載の安全装置付き減圧弁。
【請求項４】
ノズルストッパーは内方遊嵌体に上下左右に移動可能に支持されていることを特徴とする請求項１〜３のいずれかに記載の安全装置付き減圧弁。
【請求項５】
ノズルは、高圧ガス供給源側のカットノズルと、ガス噴出口側のコアノズルと、前記カットノズルとコアノズルの結合部に設けたノズルシールと、該ノズルシールを支持するバックアップ部材とを備えてなり、
該バックアップ部材は熱軟化性又は所定の応力で座屈する材料からなることを特徴とする請求項１〜４のいずれかに記載の安全装置付き減圧弁。
【手続補正２】
【補正対象書類名】明細書
【補正対象項目名】０００７
【補正方法】変更
【補正の内容】
【０００７】
本発明に係る安全装置付き減圧弁は、また、一端に高圧ガス供給源への接続口を有し他端にガス機器へのガス供給口を有するケースと、該ケースに固定されその長手方向に延在するノズルと、該ノズルに内方気密シールを介して摺動可能に取り付けられる内方遊嵌体と、該内方遊嵌体と前記ケースの間にあって前記ケース内を外方気密シールと共に摺動する外方遊嵌体と、該外方遊嵌体を前記ケースのガス供給口側に付勢する調圧バネと、を備える安全装置付き減圧弁において、前記ノズルは高圧ガス供給源に接続されるとともに先端部にガス噴出口が設けられており、前記内方遊嵌体は前記ガス噴出口に正対するノズルストッパーが設けられており、前記外方遊嵌体は調圧バネの付勢方向に前記内方遊嵌体を押す支承部が設けられており、かつ、前記外方気密シールが接する内方遊嵌体の側壁のうち該外方気密シールの可動範囲内に大気圧室に通ずるガス通路を設けるとともに、前記ケースに前記大気圧室とケース外部とを通じるガス通路を設けてなるものとすることができる。この場合において、さらに、前記ケースを外筒とキャップがネジ結合されたものとして構成するとともに、前記大気圧室とケース外部とを通じるガス通路を前記ネジ結合部に設けてなるものとすることができる。
【手続補正３】
【補正対象書類名】明細書
【補正対象項目名】０００８
【補正方法】変更
【補正の内容】
【０００８】
上記各安全装置付き減圧弁において、ノズルストッパーは内方遊嵌体に上下左右に移動可能に支持されているのが好ましい。また、上記ノズルは、高圧ガス供給源側のカットノズルと、ガス噴出口側のコアノズルと、該カットノズルとコアノズルの結合部に設けたノズルシールと、該ノズルシールを支持するバックアップ部材とを備えてなり、該バックアップ部材は熱軟化性又は所定の応力で座屈する材料からなるのが好ましい。
【手続補正４】
【補正対象書類名】明細書
【補正対象項目名】００１２
【補正方法】変更
【補正の内容】
【００１２】
ノズル50は、そのフランジ53が外筒12の開口側の端部に外筒12とキャップ22で締め付けられてケース11と一体になっている。ノズル50の一端は鋭いカットノズル52となり、以下で説明するようにガスボンベの封板81を突き破って高圧ガスを導出できるようになっている。この導出された高圧ガスはガス流路54を通って他端のガス噴出口55から噴出する。
【手続補正５】
【補正対象書類名】明細書
【補正対象項目名】００１９
【補正方法】変更
【補正の内容】
【００１９】
本減圧弁は、図４に示すように、接続口25にガスボンベ80を接続し、ガス供給口16から供給されるガスをガス機器に導いて使用される。まずガスボンベ80を接続口25にねじ込むと、ガスボンベの封板81がカットノズル52で穿孔される。ガスボンベ80が完全にねじ込まれた状態でガスボンベ80、キャップ22及びノズル50で囲まれる空間はボンベシール62で気密が確保され、高圧ガスがガスボンベ80からガス流路54を経てガス噴出口55から二次圧室100に噴出する。
【手続補正６】
【補正対象書類名】明細書
【補正対象項目名】００２１
【補正方法】変更
【補正の内容】
【００２１】
しかしながら、何らかの原因、例えばノズルストッパー45が損傷すると二次圧室100の圧力が異常に上昇する場合がある。このような場合は、上述したように先ずノズルストッパー45が内方遊嵌体30の上部材33とノズル50のガス噴出口55とによって挟みこまれ、内方遊嵌体30はノズルに固定されるためもはや下方に移動できなくなる。次に、外方遊嵌体40が外方気密シール61を伴って内方遊嵌体30のガイド38に沿って下方に摺動する。外方遊嵌体40が調圧バネ65に抗して所定量下方に摺動すると、外方気密シール61が排出孔17に達し、二次圧室100のガスが大気中に放出される。ガスが放出され二次圧室のガス圧が低下すると、外方遊嵌体40は調圧バネ65に付勢され上昇する。上記作動により二次圧室100のガス圧が許容値以内に保持され安全が確保される。
【手続補正７】
【補正対象書類名】明細書
【補正対象項目名】００２８
【補正方法】変更
【補正の内容】
【００２８】
ガス排出孔17は、図１に示す例では外筒12の側壁部に設けられ、大気圧室110を外筒12の外部に連通させているが、二次圧室100のガス圧が異常に上昇した場合にガスを大気中に放出させる機能を有する限り他の手段によってもよい。図１０にはかかる場合の１例として、二次圧室100のガス圧を大気圧室110に導き、さらに外筒12の外部に放出する機構を有する減圧弁の部分断面図が示されている。この例では、外方気密シール61の摺動する内方遊嵌体30のガイド38に大気圧室110に通ずるガス通路170が、その位置が外方気密シール61の可動範囲内になるように設けられている。また、ガス排出部18を、内方遊嵌体30のガイド38に設けたガス排出孔170と、外筒12の端部とネジ部にそれぞれ設けた溝171と溝172から構成している。なお、この場合において、外筒12とキャップ22のネジ結合部に形成される隙間から十分にガスの排出ができる場合は、溝172を省略することができる。
【手続補正８】
【補正対象書類名】明細書
【補正対象項目名】００３０
【補正方法】変更
【補正の内容】
【００３０】
11    ケース
12    外筒
16    ガス供給口
17    ガス排出孔
18    ガス排出部
22    キャップ
25    接続口
30    内方遊嵌体
31    ヘッド
32    ノズルストッパー取付部
33    上部材
34    下部材
37    支持部
38    ガイド
39    溝
40    外方遊嵌体
41    フランジ
42    支承部
43    突条
45    ノズルストッパー
46    フランジ
50    ノズル
51    コアノズル
52    カットノズル
53    フランジ
54    ガス流路
55    ガス噴出口
60    内方気密シール
61    外方気密シール
62    ボンベシール
63    ノズルシール
65    調圧バネ
70    フィルタ
75    バックアップ部材
80    ガスボンベ
81    封板
85    ボンベケース
100    二次圧室
110    大気圧室
170    ガス排出孔
171、172
【手続補正９】
【補正対象書類名】図面
【補正対象項目名】図１０
【補正方法】変更
【補正の内容】
【図１０】
2005207492.tif 000001